(57)【要約】【課題】  煩わしいボタンを掛けることなく簡単に着用することが出来るファスナー付きワイシャツの提供。【解決手段】  正面の下側前立てと上側前立ての縁部には互いに係合するファスナーをそれぞれ取付けたワイシャツであり、上側前立ての表面には複数の飾りボタンを等間隔で取付けると共に各ボタンの周囲にはスリット穴を形成し、上記ワイシャツの袖口を構成する上カフスと下カフスには磁石を取付けて該袖口を開閉可能としている。また上カフスの表面には飾りボタンを取付けると共に該飾りボタンの周囲にはスリット穴を形成している。【選択図】    図３
2018199870.tif 000002
【特許請求の範囲】
【請求項１】
正面の下側前立てと上側前立ての縁部には互いに係合するファスナーをそれぞれ取付けたワイシャツにおいて、ファスナーに係合してスライドするスライダーが下端から外れないように上側前立てと下側前立ての下端部を互いに連結することが出来る連結手段を取付けて構成し、上側前立ての表面には複数の飾りボタンを等間隔で取付けると共に各ボタンの周囲にはスリット穴を形成し、上記ワイシャツの袖口を構成する上カフスと下カフスには磁石を取付けて該袖口を開閉可能とし、上記磁石は上カフスの裏面と下カフスの表面にそれぞれ互いに噛み合うように取付け、また上カフスの表面には飾りボタンを取付けると共に該飾りボタンの周囲にはスリット穴を形成したことを特徴とするファスナー付きワイシャツ。
【請求項２】
上記連結手段として、上側前立てと下側前立ての下端部を縫付けた請求項１記載のファスナー付きワイシャツ。
【請求項３】
一方の磁石中央には曲面状の凹部を形成し、他方の磁石中央には曲面状の凸部を設けた請求項１、又は請求項２記載のファスナー付きワイシャツ。
【請求項４】
一方の磁石を凹型磁石として曲面状の凹部を形成した樹脂製の基台にリング状磁石を該凹部を中心に固定し、他方の磁石を凸型磁石として曲面状の凸部を形成した樹脂製の基台にはリング状の磁石を凸部を中心に固定した請求項１、又は請求項２記載のファスナー付きワイシャツ。
【発明の詳細な説明】
【技術分野】
【０００１】
本発明は正面にファスナーを取付け、手が不自由な人であっても簡単に着脱することが出来るように構成したワイシャツに関するものである。
【背景技術】
【０００２】
図６は従来の一般的なワイシャツを表しているように、ワイシャツを着用する場合には正面のボタン（イ）、（イ）・・・を外し、着用した状態でボタン（イ）、（イ）・・・を再び掛けなくてはならない。すなわち、ワイシャツの正面である下側前立て（ロ）には複数の上記ボタン（イ）、（イ）・・・が取付けられ、上側前立て（ハ）には複数のスリット状ボタン穴（ニ）、（ニ）・・・が貫通して設けられ、ボタン（イ）、（イ）・・・はスリット状ボタン穴（ニ）、（ニ）・・・に嵌められる。
【０００３】
ところで、上記ボタン穴（ニ）はスリット状に成っている為に、小さいボタン（イ）は嵌めにくく、特に年をとって手が不自由になるとワイシャツのボタン（イ）、（イ）・・・を掛けることが容易でない。ボタン（イ）の１つや２つを掛け忘れるといった場合が時々発生する。そこで、上記ボタン（イ）の代わりにファスナーを下側前立て（ロ）の縁部表面と上側前立て（ハ）の縁部裏面に取付けたワイシャツも知られている。
【０００４】
特開２０００−３４５４０１号に係る「面ファスナーを用いて前合わせを行うシャツ」は、高齢者や身体障害者が容易に着脱できるシャツである。
そこで、シャツの前面上前（上側前立て）にボタンと、ボタン穴かがりを有し、そのボタン及びボタン穴かがりの位置の裏側に面ファスナーの雄材が設けられ、上記面ファスナーの雄材に対応する下前の位置（下側前立て）に面ファスナー雌材が設けられている。
【０００５】
ところが、上記面ファスナーは所々に一定間隔で設けられており、面ファスナーの雄材と雌材とが互いに接着することでワイシャツの正面（前面）を閉じることが出来る。しかし、雄材と雌材が所定の位置で互いに正しく接着しない場合、すなわち、位置ズレした状態で互いに接着する場合、ワイシャツの前面にシワが生じたり、下側前立て及び上側前立ての位置ズレにて、着用したワイシャツが不格好になる。
【０００６】
また、特開２００８−１９５４５号に係る「かぶり着するワイシャツ」は、ワイシャツ前面の表側にボタンとボタン穴かがり部とが既にボタン掛けされた姿で設けられ、このワイシャツ前面の裏側の下部分とシャツ後面の表側下部分とが縫合され、この縫合部の上から衿元までファスナーが設けられている。
ただし、このようにかぶる形態としたワイシャツは、高齢者にとっては着脱し易く適しているが、あくまでもラフな服装であり正式な場所へ出向く際に着用することは出来ない。
【０００７】
一方、ワイシャツには袖の先端部にもボタン（イ）とスリット状のボタン穴（ニ）が設けられているが、この袖のボタンに代わってファスナーを用い、ワイシャツを着用する際に袖口を開くようにすることも可能である。
袖口にファスナーを取付けることでボタン（イ）に比較して便利であるが、袖口に取付けたファスナーの操作は片手で行わなくてはならず、正面のファスナー操作に比べて不便である。
【特許文献１】特開２０００−３４５４０１号に係る「面ファスナーを用いて前合わせを行うシャツ」
【特許文献２】特開２００８−１９５４５号に係る「かぶり着するワイシャツ」
【発明の開示】
【発明が解決しようとする課題】
【０００８】
このように、正面を閉じる為にファスナーを取付けたワイシャツは知られている。また袖口を閉じる為にファスナーを取付けたワイシャツも知られている。
しかし、従来のファスナー付きワイシャツでは上記のごとき問題がある。本発明が解決しようとする課題はこの問題点であり、ファスナー付きのワイシャツであるが、手が不自由な人であっても簡単に着脱することが出来ると共に、着用した状態での外観は従来のボタン付きワイシャツと何ら変わらないワイシャツを提供する。
【課題を解決するための手段】
【０００９】
本発明のワイシャツの正面には、ボタンの代わりにファスナーを取付けている。すなわち、ファスナーを開け閉めすることでワイシャツの着用を可能としている。そしてボタンも備えているが、該ボタンはワイシャツとしての外観が損なわれないように飾りとして機能している。すなわち、正面の下側前立てと上側前立てには互いに噛合うファスナーを沿設し、上側前立ての表面には一定間隔で飾りボタンを取付けていて、しかもボタンの周囲には飾りとしてのスリット穴が形成されている。
【００１０】
ファスナーを開け閉めする為に、ファスナーに沿ってスライドするスライダーを設けているが、該スライダーがファスナー下端から外れないように、上側前立てと下側前立ての下端部を連結することが出来るように構成している。すなわち、上側前立てと下側前立ての下端部には止着具が取付けられ、該止着具を介して連結されるが、不要な場合には連結することなく下端部を開放することも可能である。
【００１１】
一方、袖の先端部にはボタンに代わって磁石（マグネット）を取付けており、該磁石を介して袖口の開け閉めを行うことが出来るようにしている。そこで、袖口を構成する上カフスの下面と下カフスの上面が互いに接合して組み合わされるように磁石を取付けている。
勿論、磁石は一方のカフスにのみ取付け、他方のカフスには磁性体を取付けてもよく、接合する際には位置ズレしないように互いに噛み合うことが出来るように凹部と凸部と成っている。
【００１２】
しかも、上記上カフスにも飾りとしてのボタンを備えており、外観は一般のワイシャツの袖口と同じ形態と成っている。上記ボタンはあくまでも飾りとしてのものであり、しかもボタンの周囲にはスリット状のボタン穴が形成されていて、ボタンを介して上カフスと下カフスが互いに接合して袖口を構成しているような外観としている。
【発明の効果】
【００１３】
本発明に係るワイシャツは、ボタンの代わりにファスナーを取付けており、その為に小さいボタンをスリット状のボタン穴に嵌める必要はなく、手が不自由になった老人であっても手軽にワイシャツの着用が出来る。
そして、ファスナーを開閉する為のスライダーはファスナー下端から外れないように上側前立てと下側前立ての下端部を連結することが出来る。したがって、ワイシャツを着用する際にスライダーをファスナーに係合する操作は不要となり、片手だけでスライダーを操作してファスナーの開閉が出来る。
【００１４】
また、ボタンは飾りとして備わっている為に、着用した状態でのワイシャツの外観が損なわれることはなく、従来のボタン付きワイシャツと同じように見える。
一方、ワイシャツの袖には磁石を取付けている為に、袖口の開閉はファスナーより楽であり、片手で簡単に操作することが出来る。
【００１５】
しかも、磁気力にて互いに引き合うことで袖口を構成している上カフスと下カフスは接合するが、互いに噛み合う凹部と凸部が形成されていることで上カフスと下カフスが位置ズレすることはない。上カフスと下カフスが近づくことで取付けた磁石の磁気力にて互いに引き合って接合することが出来る。
ここで、上記磁石の凸部形状は概略半球状又は円錐状と成っていることで凸部の向きが多少傾いていても凹部に噛み合って上カフスと下カフスが接合される。
そして、袖にも飾りボタンは取付けられていると共に、ボタンの周囲にはスリット穴も形成され、袖口の外観は損なわれない。
【図面の簡単な説明】
【００１６】
【図１】ファスナーを開いた状態の本発明のワイシャツ正面。
【図２】ファスナーを閉じた状態の本発明のワイシャツ正面。
【図３】磁石を取付けている袖口の外観図。
【図４】（ａ）は磁石とボタンを取付けた上カフスの断面図、（ｂ）は磁石を取付けた下カフスの断面図。
【図５】（ａ）は凹型磁石の具体例、（ｂ）は凸型磁石の具体例。
【図６】従来の一般的なワイシャツ。
【発明を実施するための形態】
【００１７】
図１は本発明に係るワイシャツ１の正面図を示す実施例である。ワイシャツ１は前面（正面）を同図に示すように開口することが出来、その為に左右の身頃の縁部である下側前立て３及び上側前立て４にはファスナー２ａ，２ｂを取付けている。
すなわち、一方のファスナー２ａは下側前立て３の表面に取付けられ、他方のファスナー２ｂは上側前立て４の裏面に取付けられ、両ファスナー２ａ，２ｂは上記下側前立て３と上側前立て４に沿って裾から襟元まで沿設されている。
【００１８】
ここで、下側前立てと上側前立ての下端部は互いに連結することが出来るように構成していて、ファスナー２ａ，２ｂに沿って移動するスライダーはファスナー下端から外れることはない構造としている。連結手段としては、互いに係止することが出来るカギやボタン、又は粘着テープ（マジックテープ）を用いることが出来、必要に応じて上側前立てと下側前立ての下端部を開放することも可能である。
【００１９】
そして、上側前立て４の表面には複数のボタン５，５・・・が取付けられ、これら各ボタン５，５・・・は一定間隔で配列している。また、上記上側前立て４にはスリット穴７，７・・・が形成され、これらスリット穴７，７・・・は上記ボタン５，５・・・の外周上側と下側に僅かにはみ出している。
【００２０】
図２はボタン５，５・・・が配列している状態が分かる正面図であり、ボタン５，５・・・は上側前立て４の表面に糸で縫い付けられている。そして、ボタン５，５・・・を取付けている上側前立て４にて上記ファスナー２ａ，２ｂは被覆され、外観上は一般的なワイシャツ１と同じになる。
すなわち、ボタン５，５・・・はワイシャツ１の前面を閉じるものではなく、あくまでの飾りに過ぎない。その為に、ボタン５，５・・・がスリット状のボタン穴に嵌める必要はなく、飾りにふさわしい形態のボタン５，５・・・が使用される。
【００２１】
ワイシャツ１を着用するだけであるならば、上記ボタン５，５・・・は必要でないが、ビジネスマンが着用するワイシャツ１にはボタン付きが一般的であることから、本発明のワイシャツ１は飾りとしてのボタン５，５・・・を備えている。
図１ではスライダー６が裾まで下りてファスナー２ａ，２ｂが解除され、ワイシャツ１の前面が開口した状態であるが、スライダー６を持ち上げるならば、ファスナー２ａ，２ｂは互いに係合して前面を閉じることが出来る。
【００２２】
ところで、上側前立てと下側前立ての下端部に止着具を取付けて互いに連結する場合であれば、図１のようにファスナー２ａ，２ｂの下端が開放されることはない。
上側前立てと下側前立ての下端部が止着されているならば、ファスナー２ａ，２ｂの下端はスライダー６を介して互いに係合している為に、スライダー６を持ち上げるだけで上側前立て４と下側前立て３は閉じることが出来る。
【００２３】
前面が閉じると同時に、図２に示すように上側前立て４は下側前立て３の上に重なり合って互いに係合したファスナー２ａ，２ｂは被覆され、外からファスナー２ａ，２ｂの存在は分からなくなる。
ワイシャツ１を着用した状態では、上側前立て４に取付けられているボタン５，５・・・は飾りであり、その為に該ボタン５，５・・・の大きさ並びに形態は自由である。そして、従来のワイシャツのようにボタン５，５・・・がスリット状のボタン穴に掛けられているように見せる為に、ボタン周囲には上記スリット穴７，７・・・が形成されている。
【００２４】
一方、本発明のワイシャツ１は、袖８の先端部である袖口に磁石を取付け、袖口は磁石を介して閉じることが出来るような形態としている。すなわち、袖口を構成している上カフス９の裏面には磁石１１が取付けられ、下カフス１０の表面にも磁石１２を取付けている。
そこで、上カフス９と下カフス１０は上記両磁石１１，１２を介して接合し、袖口を閉じることが出来る。図３はワイシャツ１の袖口を示す外観図であり、上カフス９と下カフス１０は開いた状態としている。
【００２５】
上カフス９の裏面には磁石１１を取付けているが、表面にはボタン１３を縫い付けている。そして、該ボタン１３からスリット穴１４，１４が延びていて、外観上はボタン穴にボタン１３が嵌って袖口を閉じることが出来るように構成している。
図４（ａ）は上カフス９の断面を示しているが、その表面にはボタン１３が取付けられ、裏面には磁石１１を設けている。そして図４（ｂ）は下カフス１０の断面を示し、その表面には磁石１２を取付けている。ここで、袖口に取付ける磁石の個数は限定しない。同図に示す袖口の上下カフス９，１０に取付ける磁石の個数は一般に１個であるが、袖口には別の磁石を取付けることが出来る。
【００２６】
上カフス９を挟んでボタン１３と磁石１１が取付けられ、該磁石１１の中央には凹部１５を形成している。下カフス９の表面に取付けた磁石１２の中央には凸部１６が形成され、磁石１１と磁石１２が接合する際には凹部１５に凸部１６が嵌って位置ズレを生じないようにしている。
同図では磁石１１に形成している凹部１５並びに磁石１２に形成している凸部１６は半球状としているが、具体的な形状は特に限定しない。例えば、円錐状とすることも出来る。しかし、凸部１６の先端部は細く成っていることが好ましく、凹部１５に嵌り易い。
【００２７】
図５（ａ）凹型磁石１７、（ｂ）は凸型磁石１８の具体的な形態を表している。
（ａ）に示す凹型磁石１７は樹脂製の基台１９に凹部１５を形成し、該凹部１５を中心としてリング状磁石２０を固定している。
一方の凸型磁石１８は樹脂製の基台２１に凸部１６を形成し、該凸部１６を中心としてリング状磁石２２を固定している。基台１９、２１を樹脂製とすることで軽くなり、同時に靱性が向上して、割れたり欠けたりすることを抑制することが出来る。
【００２８】
袖口を閉じる場合、各カフスに取付けている凹型磁石１７と凸型磁石１８は平行でなく、傾いた状態で凸型磁石１８は凹型磁石１７に近づき、所定の間隔に成ったところで係合する。凸部１６が凹部１５に係合した状態で、周囲に取付けているリング状磁石２０，２２の磁気力にて互いに引き合ってその向きが変わり、リング状磁石２０，２２を介して凹型磁石１７と凸型磁石１８は互いに密着することが出来る。
【００２９】
このように、本発明のワイシャツ１は袖口に凹型磁石１７、凸型磁石１８を取付けていることで、上カフス９と下カフス１０を近づけるならば上記凹型磁石１７と凸型磁石１８の磁気力にて独りでに接合することが出来る。すなわち、手が不自由で凹型磁石１７と凸型磁石１８の向きが平行でなくても、袖口を簡単に閉じることが出来、面倒なボタン嵌めやファスナー操作は不要となる。
【符号の説明】
【００３０】
１   ワイシャツ
２   ファスナー
３   下側前立て
４   上側前立て
５   ボタン
６   スライダー
７   スリット穴
８   袖
９   上カフス
10   下カフス
11   磁石
12   磁石
13   ボタン
14   スリット穴
15   凹部
16   凸部
17   凹型磁石
18   凸型磁石
19   基台
20   リング状磁石
21   基台
22   リング状磁石
【図１】
2018199870.tif 000003
【図２】
2018199870.tif 000004
【図３】
2018199870.tif 000005
【図４】
2018199870.tif 000006
【図５】
2018199870.tif 000007
【図６】
2018199870.tif 000008